(57)【要約】【解決手段】後から倒される前記もう一方の側壁３の板状部３’の両端部に、前記板状部に対して垂直方向に延在する係合枠４を形成するとともに、前記後から倒される前記もう一方の側壁に形成された弾性係止舌片５の付近に位置する前記板状部に、前記弾性係止舌片と同じ高さ或いは前記弾性係止舌片を越えて突出する当接部材Ｓを突設したものである。【効果】後から倒されるもう一方の側壁に形成された弾性係止舌片の付近に位置する板状部に、弾性係止舌片と同じ高さ或いは前記弾性係止舌片を越えて突出する当接部材を突設したので、後から倒される側壁を段積みした際に、一方の側壁に形成された係合枠が、もう一方の側壁に形成された当接部材に当接し、弾性係止舌片に当接することがないので、弾性係止舌片が、変形するようなことを防止することができる。【選択図】図３
2005126073.tif 000002
【特許請求の範囲】
【請求項１】
箱型に組み立てられた折り畳みコンテナーの相対する一方の側壁を、先ず最初に、底部の上に倒し、次いで、相対するもう一方の側壁を、前記先に倒された側壁の上に倒すことにより、箱型に組み立てられた折り畳みコンテナーを折り畳むように構成された折り畳みコンテナーにおいて、後から倒される前記もう一方の側壁の板状部の両端部に、前記板状部に対して垂直方向に延在する係合枠を形成するとともに、前記後から倒される前記もう一方の側壁に形成された弾性係止舌片の付近に位置する前記板状部に、前記弾性係止舌片と同じ高さ或いは前記弾性係止舌片を越えて突出する当接部材を突設したことを特徴とする折り畳みコンテナー。
【発明の詳細な説明】
【技術分野】
【０００１】
本発明は、底部と、底部にヒンジ連結された側壁とから構成された折り畳み可能な折り畳みコンテナーに関するものである。
【背景技術】
【０００２】
先ず最初に、図６〜図１２を用いて、一例としての従来の折り畳みコンテナーについて説明する。
【０００３】
平面形状が略長方形の底部１は、その相対する長辺側に形成された高さの低い土手部１ａと、相対する短辺側に形成された高さの高い土手部１ｂとを有するとともに、高さの低い土手部１ａに、長側壁２がヒンジ連結され、また、高さの高い土手部１ｂに、短側壁３がヒンジ連結されている。
【０００４】
図６に示されているように、箱型に組み立てられた折り畳みコンテナーを折り畳むには、先ず最初に、底部１の高さの低い土手部１ａにヒンジ連結された長側壁２を、底部１方向に倒して、図７に示されているように、底部１の上に重ね、次いで、底部１の高さの高い土手部１ｂにヒンジ連結された短側壁３を、底部１方向に倒して、底部１に重ねられた長側壁２の上に重ねることにより、図８に示されているように、高さの低いコンパクトな状態に折り畳むことができるように構成されている。また、折り畳まれた状態から、後から倒された短側壁３を、略垂直に立て、次いで、先に倒された長側壁２を略垂直に立てることにより、箱型に組み立てることができるように構成されている。
【０００５】
４は、短側壁３の板状部３’の両端部から、板状部３’の内面３ａに対して直角方向に延在する短側壁側係合枠であり、短側壁側係合枠４には、適当数の嵌合孔４ａが穿設されている。なお、本実施例においては、３個の嵌合孔４ａが穿設されている。
【０００６】
５は、短側壁側係合枠４付近に位置する短側壁３の板状部３’に形成された弾性係止舌片であり、弾性係止舌片５の先端部には、板状部３’の内面３ａを越えて内側に突出した突出部５ａが形成されており、突出部５ａには、その先端から内面３ａ方向に傾斜した傾斜面５ｂが形成されている。短側壁３に形成された弾性係止舌片５は、板状部３’に形成された垂直スリット６ａと垂直スリット６ａの上下端から、短側壁３の中央方向に、且つ、水平に延在する水平スリット６ｂとにより構成されるコの字状のスリット部６により形成されている。弾性係止舌片５は、一例として、板状部３’の外面３ｂに形成された適当な相対する水平リブ７ａ、７ｂ及び相対する垂直リブ７ｃ、７ｄに囲まれた領域内に配置されている。なお、５ｃは、弾性係止舌片５の外面５ｄ（折り畳みコンテナーを箱型に組みたてた際に、外側に位置する面）の中央部に形成された水平凸条部である。
【０００７】
８は、長側壁２の両端部付近に形成された長側壁側係合枠であり、長側壁側係合枠８には、短側壁側係合枠４に穿設された嵌合孔４ａに挿入可能な嵌合凸部８ａが形成されている。本実施例においては、上記の短側壁側係合枠４に穿設された３個の嵌合孔４ａに対応して、３個の嵌合凸部８ａが形成されている。
【０００８】
図８に示されているように、折り畳みコンテナーが折り畳まれた状態から、図６に示されているように、後から倒された短側壁３を略垂直に立て、次いで、先に倒された長側壁２を略垂直に立てることにより、図６に示されているように、箱型に組み立てることができるように構成されている。折り畳みコンテナーを箱型に組み立てた際には、短側壁３の短側壁側係合枠４に穿設された嵌合孔４ａに、長側壁２の長側壁側係合枠８に形成された嵌合凸部８ａが挿入されるとともに、長側壁２の板状部２’の内面２ａが、短側壁３の弾性係止舌片５の突出部５ａに当接し、長側壁２が、簡単には、底部１方向に倒れないように構成されている。
【０００９】
また、図６に示されているように、箱型に組み立てられている状態において、短側壁３に形成された弾性係止舌片５を外側に押し出して、弾性係止舌片５の突出部５ａを、長側壁２から外し、その後、長側壁２を、底部１方向に倒して底部１に重ね、次いで、短側壁３を、底部１方向に倒すことにより、図８に示されているように、高さの低いコンパクトな状態に折り畳むことができるように構成されている。
【００１０】
短側壁３に、弾性係止舌片５が形成された折り畳みコンテナーは、一例として、特許文献１に開示されている。
【特許文献１】実公平７−２４１３号公報
【発明の開示】
【発明が解決しようとする課題】
【００１１】
ところで、上述したように、折り畳みコンテナーは、１個の底部１と２個の長側壁２と２個の短側壁３の合計５個の部品から構成されているが、底部１は、土手部１ａ、１ｂが上方に位置するように、底部１同士を、裏表が同じ向きになるように段積みされて保管されており、また、長側壁２も、例えば、板状部２’の内面２ａが下に位置するように、長側壁２同士を、裏表が同じ向きになるように段積みされて保管されている。
【００１２】
一方、図１１に示されているように、短側壁３の板状部３’の外面３ｂが下に位置するように、裏表が同じ向きになるように、短側壁３を段積みすると、下に位置する短側壁３に形成されている短側壁側係合枠４の上に、上に位置する短側壁３が載置されることになり、上に位置する短側壁３が、下に位置する短側壁３に対して、水平方向にずれ易く、従って、短側壁３の段積み状態が不安定になるとともに、段積み高さが高くなり、短側壁３の保管スペースが増大することになる。
【００１３】
そこで、図１２に示されているように、下に位置する短側壁３と上に位置する短側壁３とを、短側壁側係合枠４が対向するように．換言すれば、板状部３’の内面３ａが対向するように配置するとともに、下に位置する短側壁３の一方の短側壁側係合枠４と上に位置する短側壁３の一方の短側壁側係合枠４及び下に位置する短側壁３のもう一方の短側壁側係合枠４と上に位置する短側壁３のもう一方の短側壁側係合枠４とが、互いに、対向し、且つ、接近して位置するように段積みすることにより、短側壁３の段積み高さを低くして、短側壁３の保管スペースを少なくしている。
【００１４】
図１２に示されているように、下に位置する短側壁３と上に位置する短側壁３とを、短側壁側係合枠４が対向するように配置すると、下に位置する短側壁３の一方の短側壁側係合枠４付近に形成された弾性係止舌片５の突出部５ａに、上に位置する短側壁３の相対する一対の短側壁側係合枠４のうち、内側に位置する短側壁側係合枠４（下に位置する短側壁３の相対する一対の短側壁側係合枠４間に位置する短側壁側係合枠４で、図１２において、右側に位置している。）が載置されるので、弾性係止舌片５が、下方に撓み変形することになる。また、下に位置する短側壁３のもう一方の短側壁側係合枠４が、上に位置する短側壁３の相対する一対の短側壁側係合枠４のうち、外側に位置する短側壁側係合枠４（下に位置する短側壁３の相対する一対の短側壁側係合枠４間に位置していない短側壁側係合枠４で、図１２において、左側に位置している。）付近に形成された弾性係止舌片５の突出部５ａの当接し、弾性係止舌片５が、上方に撓み変形することになる。このように、弾性係止舌片５が変形した状態で、短側壁３が段積み状態に長く保管されると、折り畳みコンテナーの組み立てのために、段積みされた短側壁３を、１個、取り出した際に、弾性係止舌片５がその弾性により、完全に、元の状態に戻らず、変形したままになっているという問題がある。
【００１５】
上述したように、弾性係止舌片５が変形した状態のままの短側壁３を用いて、折り畳みコンテナーを組み立てると、折り畳みコンテナーが、図６に示されているように、箱型に組み立てられた際に、短側壁３に形成された弾性係止舌片５の突出部５ａと長側壁２の板状部２’の内面２ａとが係合しなかったり、短側壁３に形成された弾性係止舌片５の突出部５ａと長側壁２の板状部２’の内面２ａとの係合部分が少なかったりして、長側壁２が、底部１方向に倒れ易くなるという問題がある。
【００１６】
本発明の目的は、上述した従来の折り畳みコンテナーが有する課題を解決することにある。
【課題を解決するための手段】
【００１７】
本発明は、上述した目的を達成するために、箱型に組み立てられた折り畳みコンテナーの相対する一方の側壁を、先ず最初に、底部の上に倒し、次いで、相対するもう一方の側壁を、前記先に倒された側壁の上に倒すことにより、箱型に組み立てられた折り畳みコンテナーを折り畳むように構成された折り畳みコンテナーにおいて、後から倒される前記もう一方の側壁の板状部の両端部に、前記板状部に対して垂直方向に延在する係合枠を形成するとともに、前記後から倒される前記もう一方の側壁に形成された弾性係止舌片の付近に位置する前記板状部に、前記弾性係止舌片と同じ高さ或いは前記弾性係止舌片を越えて突出する当接部材を突設したものである。
【発明の効果】
【００１８】
本発明は、上述した構成を有するので、以下に記載する効果を奏することができるものである。
【００１９】
後から倒されるもう一方の側壁に形成された弾性係止舌片の付近に位置する板状部に、弾性係止舌片と同じ高さ或いは弾性係止舌片を越えて突出する当接部材を突設したので、後から倒される側壁を段積みした際に、一方の側壁に形成された係合枠が、もう一方の側壁に形成された当接部材に当接し、弾性係止舌片に当接することがないので、弾性係止舌片が、変形するようなことを防止することができる。
【００２０】
また、側壁に形成された弾性係止舌片の付近に位置する板状部に、弾性係止舌片と同じ高さ或いは前記弾性係止舌片を越えて突出する当接部材を突設したので、箱型に組み立てられた折り畳みコンテナーに収容された物品が、不用意に、弾性係止舌片に衝突し、弾性係止舌片を外側に押し出すようなことがないので、弾性係止舌片に当接されている側壁が、底部方向に倒れるようなことを防止することができる。
【実施例】
【００２１】
以下に、本発明の実施例について説明するが、本発明の趣旨を越えない限り、何ら、本実施例に限定されるものではない。なお、上述した従来の折り畳みコンテナーを構成する底部１、長側壁２及び短側壁３の構成部材と同じ構成部材については、同じ符号を使用とするとともに、その詳細な説明は省略する。
【００２２】
先ず最初に、図１〜図５を用いて、本発明の折り畳みコンテナーの全体構成について説明する。
【００２３】
図３に示されているように、本発明の折り畳みコンテナーにも、上述した従来の折り畳みコンテナーと同様に、短側壁３の板状部３’に、垂直スリット６ａと相対する水平スリット６ｂとからなるコの字状のスリット部６を形成することにより、弾性係止舌片５が形成されており、弾性係止舌片５には、板状部３’の内面３ａを越えて内側に突出した突出部５ａが形成されており、突出部５ａには、その先端から内面３ａ方向に傾斜した傾斜面５ｂが形成されている。
【００２４】
コの字状のスリット部６の下方に位置する水平スリット６ｂの下方に位置する短側壁３の板状部３’の内面３ａには、水平スリット６ｂに略平行に、板状の当接部材Ｓが突設されている。当接部材Ｓの板状部３’の内面３ａからの高さは、突出部５ａを含め弾性係止舌片５の板状部３’の内面３ａからの高さより、高く構成されている。
【００２５】
上述したように、短側壁３の板状部３’に形成された弾性係止舌片５の下方に位置する板状部３’の内面３ａには、弾性係止舌片５と同じ高さ或いは弾性係止舌片５を越えて突出する板状の当接部材Ｓが突設されているので、図４に示されているように、下に位置する短側壁３と上に位置する短側壁３とを、短側壁側係合枠４が対向するように．換言すれば、板状部３’の内面３ａが対向するように配置するとともに、下に位置する短側壁３の一方の短側壁側係合枠４と上に位置する短側壁３の一方の短側壁側係合枠４及び下に位置する短側壁３のもう一方の短側壁側係合枠４と上に位置する短側壁３のもう一方の短側壁側係合枠４とが、互いに、対向し、且つ、接近して位置するように段積みした際には、上に位置する短側壁３の一方の短側壁側係合枠４（図４において、右側に位置する短側壁側係合枠４）が、下に位置する短側壁３の短側壁側係合枠４（図４において、右側に位置する短側壁側係合枠４）付近に形成された、弾性係止舌片５と同じ高さ或いは弾性係止舌片５を越えて突出する板状の当接部材Ｓに載置され、弾性係止舌片５に当接することがないので、弾性係止舌片５が、下方に撓み変形するようなことを防止することができる。同様に、下に位置する短側壁３の一方の短側壁側係合枠４（図４において、左側に位置する短側壁側係合枠４）は、上に位置する短側壁３の短側壁側係合枠４（図４において、左側に位置する短側壁側係合枠４）付近に形成された、弾性係止舌片５と同じ高さ或いは弾性係止舌片５を越えて突出する板状の当接部材Ｓに当接され、弾性係止舌片５に当接することがないので、弾性係止舌片５が、上方に撓み変形するようなことを防止することができる。
【００２６】
上述したように、短側壁３の板状部３’に形成された弾性係止舌片５の下方に位置する板状部３’の内面３ａに、弾性係止舌片５と同じ高さ或いは弾性係止舌片５を越えて突出する板状の当接部材Ｓが突設されているので、下に位置する短側壁３と上に位置する短側壁３とを、短側壁側係合枠４が対向するように．換言すれば、板状部３’の内面３ａが対向するように、短側壁３を段積みした際に、一方の短側壁３に形成された短側壁側係合枠４が、もう一方の短側壁３に形成された当接部材Ｓに当接し、弾性係止舌片５に当接するようなことがないので、弾性係止舌片５が撓み変形するようなことを防止することができる。
【００２７】
また、上述したように、短側壁３の板状部３’に形成された弾性係止舌片５の下方に位置する板状部３’の内面３ａに、弾性係止舌片５と同じ高さ或いは弾性係止舌片５を越えて突出する板状の当接部材Ｓが突設されているので、箱型に組み立てられた折り畳みコンテナーに収容された物品が、不用意に、弾性係止舌片５に衝突し、弾性係止舌片５を外側に押し出すようなことがないので、弾性係止舌片５に当接されている長側壁２が、底部１方向に倒れるようなことを防止することができる。
【００２８】
なお、長側壁２の両端部付近に形成された長側壁側係合枠８には、長側壁側係合枠８の垂直端面８ｂから、長側壁２の中央部方向に延在する、スリット状の逃げ凹部９が形成されている。
【００２９】
底部１の高さの低い土手部１ａに、長側壁２をヒンジ連結し、また、底部１の高さの高い土手部１ｂに、短側壁３をヒンジ連結することにより、折り畳みコンテナーを組み立てることになるが、このようにして組み立てられ、且つ、図８に示されているように、折り畳まれた状態の折り畳みコンテナーを、図６に示されているように、箱型に組み立てる場合には、上述したように、先ず際に、略水平状態の短側壁３を、図７に示されているように、略垂直に立てる。
【００３０】
次いで、略水平状態の長側壁２を、垂直方向に回動させることになるが、長側壁２の垂直方向への回動途中において、短側壁３の板状部３’の内面３ａに突設された板状の当接部材Ｓが、長側壁２の長側壁側係合枠８に形成されたスリット状の逃げ凹部９に挿入されて、当接部材Ｓが、長側壁２の垂直方向への回動を阻害するようなことがないように構成されている。また、長側壁２の垂直方向への回動途中において、長側壁２の長側壁側係合枠８の垂直端面８ｂが、短側壁３の板状部３’に形成された弾性係止舌片５の傾斜面５ｂに当接し、弾性係止舌片５を、その弾性力に抗して、外側に、湾曲変形させる。そして、長側壁２の長側壁側係合枠８が、弾性係止舌片５の突出部５ａから外れた時点で、弾性係止舌片５は、その弾性力により、元に位置に戻り、弾性係止舌片５の突出部５ａの長側壁側係合枠８側の平坦な端面５ｅが、長側壁側係合枠８の内面８ｃに当接或いは接近して位置することになり、従って、長側壁２の底部１方向への回動が阻止されることになり、簡単には、長側壁２が、底部１方向に倒れないように構成されている。更に、長側壁２の垂直方向への回動途中において、長側壁側係合枠８に突設された嵌合凸部８ａが、短側壁３の短側壁側係合枠４に穿設された嵌合孔４ａに挿入されるように構成されている。
【００３１】
上述した実施例には、コの字状のスリット部６の下方に位置する水平スリット６ｂの下方に位置する短側壁３の板状部３’の内面３ａに、水平スリット６ｂに略平行に、板状の当接部材Ｓを突設した例が示されているが、コの字状のスリット部６の上方に位置する水平スリット６ｂの上方に位置する短側壁３の板状部３’の内面３ａに、水平スリット６ｂに略平行に、板状の当接部材Ｓを突設することもできる。また、コの字状のスリット部６の上下方に位置する水平スリット６ｂの上下方に位置する短側壁３の板状部３’の内面３ａに、水平スリット６ｂに略平行に、一対の板状の当接部材Ｓを突設することもできる。このように、短側壁３の板状部３’の内面３ａに形成された当接部材Ｓの位置や数に応じて、長側壁２の長側壁側係合枠８に、適宜、当接部材Ｓが挿入可能なスリット状の逃げ凹部９を形成することになる。
【００３２】
また、上述した実施例においては、短側壁３に、板状部３’の内面３ａに対して直角方向に延在する短側壁側係合枠４を形成するとともに、短側壁側係合枠４付近に位置する板状部３’に、弾性係止舌片５を形成した例が示されているが、長側壁２に、このような係合枠を形成するとともに、係合枠付近に位置する板状部に、弾性係止舌片５を形成するように構成することもできる。長側壁２に、このような係合枠を形成するとともに、係合枠付近に位置する板状部に、弾性係止舌片５を形成した場合には、長側壁２は、高さの高い土手部１ｂにヒンジ連結され、また、短側壁３は、高さの低い土手部１ａにヒンジ連結されることになり、従って、箱型に組み立てられた折り畳みコンテナーを折り畳む際には、先ず最初に、略垂直な短側壁３を底部１方向に倒し、次いで、略垂直な長側壁２を、底部１方向に倒すことになる。
【図面の簡単な説明】
【００３３】
【図１】図１は、箱型に組み立てられた状態の本発明の折り畳みコンテナーの斜視図である。
【図２】図２は、本発明の折り畳みコンテナーを構成する短側壁の部分斜視図である。
【図３】図３は、本発明の折り畳みコンテナーを構成する短側壁の部分拡大斜視図である。
【図４】図４は、本発明の折り畳みコンテナーを構成する短側壁が段積みされた状態の正面図である。
【図５】図５は、本発明の折り畳みコンテナーを構成する長側壁の部分斜視図である。
【図６】図６は、箱型に組み立てられた状態の従来の折り畳みコンテナーの斜視図である。
【図７】図７は、組み立て途中或いは折り畳み途中の従来の折り畳みコンテナーの斜視図である。
【図８】図８は、折り畳まれた状態の従来の折り畳みコンテナーの斜視図である。
【図９】図９は、従来の折り畳みコンテナーを構成する短側壁の部分拡大斜視図である。
【図１０】図１０は、従来の折り畳みコンテナーを構成する短側壁の一部断面を含む部分拡大斜視図である。
【図１１】図１１は、従来の折り畳みコンテナーを構成する短側壁が段積みされた状態の正面図である。
【図１２】図１２は、同じく従来の折り畳みコンテナーを構成する短側壁が段積みされた状態の正面図である。
【符号の説明】
【００３４】
Ｓ・・・・・・・・・・・・当接部材
１・・・・・・・・・・・・底部
２・・・・・・・・・・・・長側壁
３・・・・・・・・・・・・短側壁
４・・・・・・・・・・・・短側壁側係合枠
５・・・・・・・・・・・・弾性係止舌片
６・・・・・・・・・・・・スリット部
８・・・・・・・・・・・・長側壁側係合枠
【図１】
2005126073.tif 000003
【図２】
2005126073.tif 000004
【図３】
2005126073.tif 000005
【図４】
2005126073.tif 000006
【図５】
2005126073.tif 000007
【図６】
2005126073.tif 000008
【図７】
2005126073.tif 000009
【図８】
2005126073.tif 000010
【図９】
2005126073.tif 000011
【図１０】
2005126073.tif 000012
【図１１】
2005126073.tif 000013
【図１２】
2005126073.tif 000014